(57)【要約】【課題】  防寒用上着や雨具用上着に設けられた着脱式のフード本体を、簡単に収容することができ、他の用途にも利用可能な衣料用フードを提供する。【解決手段】  上着に着脱可能に取り付けられ、着用者の頭部を覆うフード本体１２と、フード本体１２の外側面を形成する表地３８と、表地３８の裏側に重ねて設けられている裏地４０とを有する。裏地４０には、開閉可能な切断線で形成された第一開口部４２を有し、表地３８と裏地４０の間に設けられ裏地４０の第一開口部４２に連通して開口する収納袋４８を備える。フード本体１２は、裏返しに引き出された収納袋４８の内側に収納される。第一開口部４２には、収納袋４８に連通して開口する内袋６０を備える。【選択図】図１
2005194657.tif 000002
【特許請求の範囲】
【請求項１】
上着に着脱可能に取り付けられた衣料用フードにおいて、着用者の頭部を覆うフード本体と、上記フード本体の外側面を形成する表地と、上記表地の裏側に重ねて設けられている裏地と、上記裏地に設けられ開閉可能な切断線で形成された開口部と、上記表地と上記裏地の間に設けられ上記裏地の上記開口部に連通して開口する収納袋が設けられ、上記衣料用フードを使用しないときは上記フード本体を上記上着から外し、上記開口部から上記収納袋を裏返しに引き出し、上記フード本体を、裏返しに引き出された上記収納袋の内側に収納可能としたことを特徴とする衣料用フード。
【請求項２】
上記第一開口部には、上記収納袋に連通して開口する内袋が設けられ、上記衣料用フードを使用しないときは、上記内袋を、上記第一開口部から裏返しに引き出された上記収納袋の内側に入れ、上記内袋が、上記収納袋内に収納された上記フード本体と隔離された収納空間を形成したことを特徴とする請求項１記載の衣料用フード。
【発明の詳細な説明】
【技術分野】
【０００１】
この発明は、防寒用上着や雨用上着に設けられ取り外し可能な衣料用フードに関する。
【背景技術】
【０００２】
従来、防寒用上着や雨具用上着のフードは、ファスナーやホックにより上着の襟付近に取り付けられたものがある。このようなフードは、使用しないときには不要なものであり、天候等に合わせて着脱することができるものもある。しかし、外したフードは邪魔になり、保管や携帯が面倒であった。
【０００３】
一方、雨具を使用しないときに、その雨具を収納するための一体の収納袋が、従来より多く提供されている。例えば、雨具を鞄に収納するものとして、特許文献１に開示されている鞄がある。これは、雨具の一部が鞄の内側に連結されており、雨具を使用しないときは鞄の内側に収容されているものである。そして、雨具を着用するときは、雨具を鞄の外に引き出して、鞄を背中に背負った状態で雨具を着用し、鞄と身体を雨から守るものである。
【特許文献１】特開平１０−１９２０２８号公報
【発明の開示】
【発明が解決しようとする課題】
【０００４】
しかし、特許文献１のように、雨具を収容するための鞄や収納袋は従来から用いられてきたが、上着から取り外したフードを邪魔にならず、また他の用途に兼用して有効に収納するものは無かった。
【０００５】
この発明は、上記従来の技術の問題点に鑑みてなされたもので、防寒用上着や雨具用上着に設けられた着脱式のフード本体を簡単に収容することができ、他の用途にも利用可能な衣料用フードを提供することを目的とする。
【課題を解決するための手段】
【０００６】
本発明の衣料用フードは、上着に着脱可能に取り付けられた衣料用フードであり、着用者の頭部を覆うフード本体と、上記フード本体の外側面を形成する表地と、上記表地の裏側に重ねて設けられている裏地と、上記裏地に設けられ開閉可能な切断線で形成された開口部と、上記表地と上記裏地の間に設けられ上記裏地の上記開口部に連通して開口する収納袋が設けられている。上記衣料用フードを使用しないときは上記フード本体を上記上着から外し、上記開口部から上記収納袋を裏返しに引き出し、上記フード本体を、裏返しに引き出された上記収納袋の内側に収納可能とした衣料用フードである。
【０００７】
また、上記第一開口部には、上記収納袋に連通して開口する内袋が設けられている。上記衣料用フードを使用しないときは、上記内袋を、上記第一開口部から裏返しに引き出された上記収納袋の内側に入れ、上記内袋が、上記収納袋内に収納された上記フード本体と隔離された収納空間を形成し、上記収容空間に小物等を収容する。
【発明の効果】
【０００８】
本発明の衣料用フードは、不要なときに着脱式のフード本体を収納袋にコンパクトに収容することができ、またフード本体とともに、小物を収容する収納袋としても利用可能なものである。収納袋はフード本体に一体に設けられているため、いつでも簡単にフード本体を収容することができる。
【発明を実施するための最良の形態】
【０００９】
以下、この発明の実施形態について図面に基づいて説明する。図１〜図５は、この発明の一実施形態を示すもので、この実施形態のフード１０は、防寒用上着や雨具用上着の襟部分に、ファスナーにより着脱自在に取り付けられている。フード１０は、頭を覆う略半球形のフード本体１２を備え、フード本体１２の後部分は、耳や首を覆いながら下方に延びて図示しない上着の襟部分に達している。フード本体１２の、上着の襟部分に位置する下端部１２ａには、襟に連結されるファスナー１４が設けられている。フード本体１２の前部分は、着用者の顔の周囲を覆う周縁部１２ｂが設けられ、周縁部１２ｂの下半分には、顔の口元を両側から覆う一対のフラップ１６，１８が一体に設けられている。フラップ１６，１８の先端部付近には、互いに係合と解除を行う面ファスナー２０，２２と、互いに係合と解除を行う一対のスナップボタン２６，２８が設けられている。また、フード本体１２の周縁部１２ｂには、紐通し部３０が別布を縫い付けて設けられ、紐通し部３０のフラップ１６，１８の基端部付近には紐通し穴３２が設けられている。紐通し部３０には、紐通し穴３２から一本の紐３４が挿通され、紐３４の紐通し穴から外側に出ている両端部には、長さ調節用の止め具３６が取り付けられている。
【００１０】
フード本体１２の外側面は、防水性や耐久性を有する表地３８で設けられ、フード本体１２の内側面は、柔らかくて通気性が良い例えばメッシュ状の裏地４０が設けられている。
【００１１】
フード本体１２の裏地４０には、後頭部のほぼ中央に対向する部分に、着用したときにほぼ水平となる切断線で形成された第一開口部４２が設けられている。第一開口部４２の上方の縁部を上端縁部４２ａ、下方を下端縁部４２ｂとする。第一開口部４２の、上端縁部４２ａと下端縁部４２ｂには、裏地４０と表生地３８の間に、一定幅の当て布４４が一周して設けられている。当て布４４は、第一開口部４２の上端縁部４２ａと下端縁部４２ｂを閉じたときに平らにつぶされ、互いに対向する位置に互いに係合と解除を行う比較的薄い樹脂製のホック４６が設けられている。
【００１２】
フード本体１２の、表地３８と裏地４０の間には、第一開口部４２の下端縁部４２ｂに連通する収納袋４８が、当て布４４に縫い付けられて設けられている。収納袋４８は、フード本体１２の表地３８と同様の耐久性を有する生地で作られている。収納袋４８の底部５０は、フード本体１２の下端部１２ａ付近に位置し、底部５０の一部が下端部１２ａに縫い付けられている。収納袋４８の底部５０と反対側には、収納袋４８の開口部である第二開口部５２が設けられている。第二開口部５２の、裏地４０側の周縁部の一部は、裏地４０の第一開口部４２の下端縁部４２ｂに縫い合わされている。
【００１３】
フード本体１２の、表地３８と裏地４０の間には、第一開口部４２の上端縁部４２ａに連通する内袋６０が、当て布４４に縫い付けられて設けられている。内袋６０は、柔軟な薄い生地で作られている。内袋６０の底部６２は、フード本体１２の頭頂部を通過してフード本体１２の、顔の周囲を覆う周縁部１２ｂの額付近に位置し、底部６２の一部が周縁部１２ｂに縫い付けられている。内袋６０の底部６２と反対側には、内袋６０の開口部となる第三開口部６４が設けられている。第三開口部６４の、裏地４０側の周縁部の一部は、裏地４０の第一開口部４２の上端縁部４２ａに縫い合わされている。第三開口部６４の開口部の残りの周縁部は、第二開口部５２の表地３８側の周縁部に縫い付けられている。そして第三開口部６４の周縁部には、紐通し部５４が設けられている。紐通し部５４は、しぼったときに隙間をできにくくするよう、幅広に設けられている。紐通し部５４の途中には、ゴム紐５６が挿通される透孔５７が設けられている。紐通し部５４には一本のゴム紐５６が挿通され、ゴム紐５６の中央付近は、透孔５７から紐通し部５４の外側に引き出され、長さ調整用の紐止め具５８が設けられている。紐止め具５８は、柔軟な発泡性の樹脂シートを打ち抜いて設けられ、一対の紐通し穴が設けられている。
【００１４】
次に、この実施形態のフード１０の使用方法について説明する。先ず、雨や雪、その他気温が低い場合等には、フード１０をファスナー１４で上着に取り付けて、頭にかぶる。
【００１５】
一方、フード１０を使用しない場合は、ファスナー１４を開けて上着から外す。そして、図３（ａ）に示すフード１０の第一開口部４２のホック４６を外して開き、収納袋４８を、第二開口部５２で底部５０を裏返しながら、第一開口部４２から引き出す。そして、図３（ｂ）に示す状態から、底部５０に縫い付けられたフード本体１２の下端部１２ａを裏返し、その裏返された収納袋４８の内側に、第二開口部５２を通ってフード本体１２を押し込む。フード本体１２を適当に折り畳みながら収納袋４８に完全に入れ、このときフード本体１２の周縁部１２ｂに縫い付けられた内袋６２も、収納袋４８の内側に入れる。この状態で、収納袋４８の第二開口部５２の内側に、フード本体１２の裏地に設けられた第一開口部４２と、内袋６０の第三開口部６４が隣接して位置している。そして、第一開口部４２の一対のホック４６を閉じると、フード本体１２が収納袋４８と内袋６０の間に収納されて閉じられる。そして、図３（ｃ）のように内袋６２をフード本体１２と収納袋４８の間に深く入れ、内袋６２の内側が収納空間６６となる。収納空間６６の出入口は、第二開口部５２であり、第二開口部５２は第二開口部５２の半周に設けられたゴム紐５６により、開口量を調整する。内袋６０の内側には、携帯電話、デジカメ、財布、ペットボトルなどの小物を収納することができる。収納袋４８は、図５に示すように、第二開口部５２の周縁部の一部に、フック６８を取り付け、腰ベルトループ等に装着してもよい。
【００１６】
フード１０を使用するときは、逆の順序でフード本体１２を収納袋４８から出し、収納袋４８の裏返しを元に戻してフード本体１２の表地３８と裏地４０の間に収容する。
【００１７】
この実施形態のフード１０によれば、不要なときにフード本体１２をコンパクトに収容することができるとともに、フード本体１２の収納袋４８を利用して小物も収納することができる。フード本体１２は内袋６０と収納袋４８の間に収納され、小物の収容空間６６と区切られているため、フード本体１２が見えず、また小物の出し入れが簡単である。フード１０を着用するときは、収納袋４８と内袋６２はフード本体１２の表地３８と裏地４０の間に収容されているため、感触や外観に違和感が無く、着脱の動作に支障となることがない。第一開口部４２は、納めたフードが均一に収容されるように、後頭部分のほぼ中央に設けられている。
【００１８】
なお、この発明の衣料用フードは、上記実施の形態に限定されるものではなく、フックや、紐止め具は、別の形状や異なる手段でも良い。また、表地や裏地の素材は問わない。
【図面の簡単な説明】
【００１９】
【図１】この発明の一実施形態の衣料用フードを裏返した状態の斜視図である。
【図２】この実施形態の衣料用フードを収納した状態を示す斜視図である。
【図３】この実施形態の衣料用フードを収納する工程を示すもので、フード本体の通常時の模式的縦断面図（ａ）、収納袋を引き出すときの模式的縦断面図（ｂ）、フード本体の収納状態を示す模式的縦断面図（ｃ）である。
【図４】この実施形態の衣料用フードの斜視図である。
【図５】この実施形態の衣料用フードを収納してフックを取り付けた状態を示す斜視図である。
【符号の説明】
【００２０】
１０  フード
１２  フード本体
１４  ファスナー
１６，１８  フラップ
３０  紐通し部
３８  表地
４０  裏地
４２  第一開口部
４８  収納袋
５２  第二開口部
６０  内袋
６４  第三開口部
【図１】
2005194657.tif 000003
【図２】
2005194657.tif 000004
【図３】
2005194657.tif 000005
【図４】
2005194657.tif 000006
【図５】
2005194657.tif 000007